(57)【要約】【課題】断紙発生の可能性が低く、しかもエンボスが確実に付与される、エンボスシートの製造方法とする。【解決手段】被加工原シート１をエンボスロール１１及びこれに対向する対向ロール１２間に通す一方、薬液を付与して、エンボスシート３を製造する。この際、薬液の付与を、被加工原シート１が、一対のロール１１，１２間を通った後、エンボスロール１１から離れる前に行う。【選択図】図１
2006181521.tif 000002
【特許請求の範囲】
【請求項１】
被加工原シートをエンボスロール及びこれに対向する対向ロール間に通す一方、薬液を付与して、エンボスシートを製造する方法であって、
前記薬液の付与を、前記被加工原シートが、前記ロール間を通った後、前記エンボスロールから離れる前に行う、ことを特徴とするエンボスシートの製造方法。
【請求項２】
薬液の付与を、ロール転写で行う、請求項１記載のエンボスシートの製造方法。
【請求項３】
薬液の転写を行う薬液転写ロールとして、周面に凹凸のない弾性ロールを用い、
かつ、エンボスロールとして、次記（Ａ）及び（Ｂ）の条件を満たすものを用いる、請求項２記載のエンボスシートの製造方法。
（Ａ）凸部が、１０〜１５０個／ｃｍ2の割合で並ぶ。
（Ｂ）前記凸部の被加工原シートを介した前記薬液転写ロールとの当接面積が、前記エンボスロール周面全面積の３〜２５％である。
【請求項４】
薬液の付与量を、５〜４０〔質量／（被加工原シート）質量〕％とした、請求項３記載のエンボスシートの製造方法
【請求項５】
エンボスロール及びこれに対向する対向ロールを有し、この第１のロール間に被加工原シートが通るエンボス付与手段と、前記被加工原シートに薬液を付与する薬液付与手段と、が備わるエンボスシートの製造設備であって、
前記薬液付与手段が、前記エンボスロールと対向する薬液転写ロールを有し、この第２のロール間に、前記第１のロール間を通った後、前記エンボスロールから離れる前の被加工原シートが通る、ことを特徴とするエンボスシートの製造設備。
【発明の詳細な説明】
【技術分野】
【０００１】
本発明は、エンボスシートの製造方法及び製造設備に関するものである。より詳しくは、エンボスを付与するとともに、柔軟剤等の薬液を付与するエンボスシートの製造方法及び製造設備に関するものである。
【背景技術】
【０００２】
この種のエンボスシートの製造方法及び製造設備としては、現在、次記（１）〜（３）に示すものが、主にある。
（１）エンボス付与手段の上流に薬液付与手段が備わる設備において、被加工原シートに薬液を付与した後に、エンボスを付与して、エンボスシートを得る方法（例えば、特許文献１など。）。
（２）エンボス付与手段の下流に薬液付与手段が備わる設備において、被加工原シートにエンボスを付与した後に、薬液を付与して、エンボスシートを得る方法（例えば、特許文献１など。）。
（３）エンボスロール並びにこれに対向する対向ロール及び薬液転写ロールが備わる設備において、薬液転写ロールによってエンボスロールに薬液を転写した後、この薬液を転写されたエンボスロール及び対向ロールによって、被加工原シートにエンボスを付与すると同時に薬液を付与して、エンボスシートを得る方法（例えば、特許文献２参照。）。この方法・設備においては、エンボスロールが、エンボス付与手段として機能するとともに、薬液付与手段としても、機能することになる。
【０００３】
しかしながら、これらの製造方法・製造設備には、次に示すような問題がある。
まず、（１）の方法・設備においては、薬液付与によって紙力が低下した被加工原シートに、エンボスを付与することになるため、断紙発生の可能性が高くなる。他方、（２）の方法・設備においては、エンボス付与後に薬液を付与するため、断紙発生の可能性は高くはないが、薬液付与によって、被加工原シートの水分率が上昇し形状保持性が低下してしまうため、せっかく付与したエンボスが崩れる可能性がある。また、この方法・設備においては、薬液付与のためにペーパーランを長くとる必要があり、この長いペーパーランにおいては、薬液付与によって被加工原シートが重くなるため、自重による延びが生じ易く、せっかく付与したエンボスが崩れる可能性がある。これに対し、（３）の方法・設備においては、エンボスの付与と同時に薬液を付与するため、一見以上のような問題が生じないようにも思えるが、断紙発生の可能性は、さほど低くならない。これは、エンボス付与及び薬液付与の関係を、被加工原シートの各部位ごとに、個別具体的にみると、エンボス付与のための伸張力が作用する前に、薬液が浸透してしまう（付与されてしまう）部位が存在するためである。
【特許文献１】特表２００４−５１９２７４号公報
【特許文献２】特開平１１−３２３７８７号公報
【発明の開示】
【発明が解決しようとする課題】
【０００４】
本発明が解決しようとする主たる課題は、断紙発生の可能性が低く、しかもエンボスが確実に付与される、エンボスシートの製造方法及び製造設備を提供することにある。
【課題を解決するための手段】
【０００５】
この課題を解決した本発明は、次のとおりである。
〔請求項１記載の発明〕
被加工原シートをエンボスロール及びこれに対向する対向ロール間に通す一方、薬液を付与して、エンボスシートを製造する方法であって、
前記薬液の付与を、前記被加工原シートが、前記ロール間を通った後、前記エンボスロールから離れる前に行う、ことを特徴とするエンボスシートの製造方法。
【０００６】
〔請求項２記載の発明〕
薬液の付与を、ロール転写で行う、請求項１記載のエンボスシートの製造方法。
【０００７】
〔請求項３記載の発明〕
薬液の転写を行う薬液転写ロールとして、周面に凹凸のない弾性ロールを用い、
かつ、エンボスロールとして、次記（Ａ）及び（Ｂ）の条件を満たすものを用いる、請求項２記載のエンボスシートの製造方法。
（Ａ）凸部が、１０〜１５０個／ｃｍ2の割合で並ぶ。
（Ｂ）前記凸部の被加工原シートを介した前記薬液転写ロールとの当接面積が、前記エンボスロール周面全面積の３〜２５％である。
【０００８】
〔請求項４記載の発明〕
薬液の付与量を、５〜４０〔質量／（被加工原シート）質量〕％とした、請求項３記載のエンボスシートの製造方法
【０００９】
〔請求項５記載の発明〕
エンボスロール及びこれに対向する対向ロールを有し、この第１のロール間に被加工原シートが通るエンボス付与手段と、前記被加工原シートに薬液を付与する薬液付与手段と、が備わるエンボスシートの製造設備であって、
前記薬液付与手段が、前記エンボスロールと対向する薬液転写ロールを有し、この第２のロール間に、前記第１のロール間を通った後、前記エンボスロールから離れる前の被加工原シートが通る、ことを特徴とするエンボスシートの製造設備。
【発明の効果】
【００１０】
本発明によると、断紙発生の可能性が低く、しかもエンボスが確実に付与される、エンボスシートの製造方法及び製造設備となる。
【発明を実施するための最良の形態】
【００１１】
次に、本発明の実施の形態を説明する。
〔定義等〕
（１）本明細書中のエンボスシートとは、エンボスが付いたシートを意味する。本エンボスシートには、１枚のシートからなる１プライのエンボスシートのほか、２枚のシートが積層されてなる２プライのエンボスシート、３枚のシートが積層されてなる３プライのエンボスシート、４枚のシートが積層されてなる４プライのエンボスシート又はそれ以上の複数枚のシートが積層されてなる複数プライのエンボスシートが含まれる。
【００１２】
（２）本明細書中の被加工原シートとは、エンボス付与や薬液付与の対象となるシートを意味する。このシートの原料や製造方法等については、後述する。
【００１３】
（３）本明細書中のエンボスには、幾何学的柄のエンボスや、装飾的柄のエンボス、その他の柄のエンボスが含まれる。幾何学的柄のエンボスとは、凹凸が、縦、横、斜め等に規則的に並んでできた模様を意味する。例えば、特開平７−２６８８００号公報の図１（いわゆるマイクロキルティングエンボス）や、特開２００３−７３９９９号公報の図２０、米国特許第５１７３３５１号公報の図４、等に示されるエンボスが、その例である。
また、装飾的柄のエンボスとは、凹凸によって描き出された、例えば、花、木、草等の植物や、人、動物、魚、貝、昆虫等の生き物、山、川、海、雲、森、林等の自然、月、太陽、星等の惑星・衛星、車、飛行機、電車等の人工物、などのデザイン性のある模様を意味する。例えば、特開平６−２０６２６９号公報の図１１や、特開平７−２５８９９９号公報の図５、特開昭５９−１１６５００号公報の図３、等に示されるエンボスが、その例である。
さらに、その他の柄のエンボスとは、幾何学的柄のエンボス及び装飾的柄のエンボス以外の柄のエンボスである。例えば、凹凸が、不規則に並んでできた模様などが含まれる。
なお、本発明においては、より好ましい形態として、エンボスの数及び面積を特定した形態を示しており、かかる特定事項を満たすエンボスは、通常幾何学的柄のエンボスであると考えられるが、装飾的柄のエンボスやその他の柄のエンボスを、本発明の範囲外とする趣旨ではない。つまり、本発明のエンボスは、柄によって限定されるものではない。
【００１４】
〔用途〕
本発明のエンボスシートは、用途が特に限定されない。例えば、トイレットペーパーやティシュペーパー等の衛生薄葉紙、キッチンペーパー、トイレ空間の拭き掃除用のトイレクリーナー、台所周りの拭き掃除用のキッチンクリーナーなどとして、用いることができる。
【００１５】
〔被加工原シートの原料・製造方法等〕
本発明において、被加工原シートの原料（エンボスシートの原料でもある。）は、特に限定されない。トイレットペーパー、ティシュペーパー、キッチンペーパー等の用途に応じて、適宜の原料を使用することができる。
具体的には、例えば、原料が、パルプ繊維である場合、このパルプ繊維（原料パルプ）としては、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００１６】
パルプ繊維等からなる原料は、例えば、公知の抄紙工程、具体的には、ワイヤパート、プレスパート、ドライヤパート、サイズプレス、カレンダパート等を経るなどして、エンボス付与・薬液付与の対象となる被加工原シートとする。この抄紙に際しては、例えば、分散剤、苛性ソーダ、アンモニア水等のｐＨ調整剤、消泡剤、防腐剤、蛍光染料、離型剤、耐水化剤、流動変性剤、歩留まり向上剤などの適宜の薬品を添加することができる。
【００１７】
〔エンボス及び薬液の付与〕
図１に、帯状に連続する被加工原シート１，２に、エンボス及び薬液を付与する設備を、示した。なお、本設備においては、被加工原シート１と被加工原シート２とが積層されて、２プライのエンボスシートが製造される。
【００１８】
本設備においては、上下に並列的に配置されたエンボスロール１１及びこれに対向する対向ロール１２（以下、単に一対のロール１１，１２ともいう。）を有するエンボス付与手段１０と、この下方において、一対のロール１１，１２と同様に、上下に並列的に配置されたエンボスロール２１及びこれに対向する対向ロール２２（以下、単に一対のロール２１，２２ともいう。）を有するエンボス付与手段２０と、が並設されている。被加工原シート１は、水平に、図示例では紙面右方向に、対向ロール１２まで流れた後、この対向ロール１２の周面に沿って流れ方向を反対方向に変え、この対向ロール１２とエンボスロール１１との間（第１のロール間）を通り、エンボスを付与される。同様に、被加工原シート２は、水平に、図示例では紙面右方向に、対向ロール２２まで流れた後、この対向ロール２２の周面に沿って流れ方向を反対方向に変え、この対向ロール２２とエンボスロール２１との間（第１のロール間）を通り、エンボスを付与される。
【００１９】
これらエンボスの付与は、被加工原シート１，２が、例えば、パルプ繊維、再生繊維及びレーヨンの群から選ばれた１種又は２種以上の原料からなる場合は、エンボスロール１１及び対向ロール１２の一方又は双方を、同様に、エンボスロール２１及び対向ロール２２の一方又は双方を、加熱して行うのが好ましい。ロールを加熱して、エンボスを付与すると、エンボスが鮮明・明瞭に付与されるようになる。
【００２０】
一対のロール１１，１２や２１，２２は、双方のロールとも金属ロールとすることもできるが、対向ロール１２，２２を、少なくとも表面１２ａ，２２ａがゴム等からなる弾性ロールとし、エンボスロール１１，２１を、表面（周面）に複数の凸部が設けられた金属ロールとするのが、好ましい。金属ロール及び弾性ロールの組み合わせ（いわゆるスチールラバー方式）によると、ロールのクリアランス調整の問題や、ロールに紙粉等が詰まるとの問題などが生じない。本実施の形態では、スチールラバー方式としている。
【００２１】
一対のロール１１，１２や２１，２２の一方のみを加熱する場合、加熱ロールは、弾性ロールであってもよいが、金属ロールである方が、好ましい。これは、金属ロールの方が、熱伝導率がよく効果的に加熱による効果が発揮されるということのほか、金属ロールが加熱されていると、エンボスの形状に対応したかたちで、シートに熱が与えられることになり、付与されるエンボスが、より鮮明・明瞭になるということ、からである。
【００２２】
加熱ロールの表面温度は、一対のロール１１，１２や２１，２２が、双方とも金属ロールであるか、金属ロール及び弾性ロールの組み合わせであるか、双方が加熱されているか、一方のみが加熱されているか、金属ロール及び弾性ロールのいずれが加熱されているか、などに関わらず、４０〜１４０℃であるのが好ましく、６０〜１２０℃であるのがより好ましく、８０〜１００℃であるのが特に好ましい。表面温度が低すぎると、エンボスが鮮明になるとの効果が、十分に発揮されない。他方、表面温度が高すぎると、エネルギーロスとなるほか、シートが焼き付くおそれや、製造されるトイレットペーパー等のエンボスシートが固くなるおそれがある。また、特に本形態では、次いで付与する薬液が直ぐに蒸発してしまい、全体に行き渡らなくなってしまうおそれがある。
【００２３】
以上の加熱方式による場合、エンボスの付与は、一対のロール１１，１２や２１，２２間のエンボス圧（ニップ圧（線圧））が、５〜３０ｋｇ／ｃｍとなるように行うのが好ましく、１０〜２５ｋｇ／ｃｍとなるように行うのがより好ましく、１５〜２０ｋｇ／ｃｍとなるように行うのが特に好ましい。エンボス圧が低すぎると、エンボスが鮮明になるとの効果が、十分に発揮されない。他方、エンボス圧が高すぎると、シートがちぎれてしまうおそれ（断紙発生のおそれ）がある。
【００２４】
一対のロール１１，１２や２１，２２を、金属ロール及び弾性ロールの組み合せとする場合、弾性ロールは、その表面のショア硬度（Ｓｈｏｒｅ  ｈａｒｄｎｅｓｓ）が、５０〜９０であるのが好ましく、６０〜７０であるのがより好ましい。ショア硬度が低すぎると、つまり弾性ロール表面がやわらかすぎると、断紙発生のおそれがある。他方、ショア硬度が高すぎると、つまり弾性ロール表面が硬すぎると、被加工原シートにエンボスが付かなくなるおそれがある。
【００２５】
ところで、以上の加熱スチールラバー方式によると、シートの坪量を、例えば、１２．０〜１７．０ｇ／ｍ2とすることができる。このように坪量が小さいと、一般にエンボスを鮮明・明瞭に付与することができないとされるが、以上の方式による場合は、可能である。
【００２６】
エンボスロール１１，２１周面の凸部の形状は、特に限定されない。例えば、平面視で正方形、菱形、円形、楕円形、多角形、星形などとされ、図２に示すように、実質的に平坦な頂面１１Ａを有する形状とすることや、図３に示すように、中心部が膨らんだ断面略弓形の頂面１１Ｂを有する形状とすることや、図示はしないが、頂部、及び、この頂部と隣接する頂部との相互間に連なる稜線部から主になるいわゆる富士山型の形状とすること、などができる。富士山型の形状とすると、被加工原シート１，２に、いわゆる富士山型のエンボスが付くことになるため、嵩だか性、吸収性が向上する。富士山型のエンボスとしては、この他にも、例えば、特開平１−１１１０９６号公報に示されるものを、例示することができる。
【００２７】
一方、本設備においては、エンボスロール１１に並んで、図示例では紙面左方に、薬液付与手段３０が、備えられている。この薬液付与手段３０は、エンボスロール１１と対向しており、被加工原シート１に対して、薬液の転写を行う薬液転写ロール３１と、この薬液転写ロール３１と対向しており、薬液転写ロール３１に対して送る薬液の量を調節する調節ロール３２と、薬液が蓄えられた薬液ボックス３３と、から主になる。同様に、本設備においては、エンボスロール２１に並んで、図示例では紙面左方に、薬液付与手段４０が、備えられている。この薬液付与手段４０は、エンボスロール２１と対向しており、被加工原シート２に対して、薬液の転写を行う薬液転写ロール４１と、この薬液転写ロール４１と対向しており、薬液転写ロール４１に対して送る薬液の量を調節する調節ロール４２と、薬液が蓄えられた薬液ボックス４３と、から主になる。
【００２８】
本形態においては、被加工原シート１，２が、第１のロール間を通った後、エンボス１１，２１に沿って流れ方向を変え、この段階において、つまり被加工原シート１，２が、エンボスロール１１，２１から離れる前に、エンボスロール１１，２１と薬液転写ロール３１，４１との間（第２のロール間）を通って、薬液が付与される。本形態によると、薬液付与がエンボス付与に先行することが全くないので、断紙発生のおそれは、完全に防止される。他方、本形態においては、エンボスロール１１，２１が、エンボス付与手段１０，２０に備わる装置としても、薬液付与手段３０，４０に備わる装置としても機能するものであり、両手段１０，２０、３０，４０に備わる装置が一部重なるものであるため、エンボス付与手段の下流に薬液付与手段を設ける形態のように、ペーパーラン長くする必要がなく、これを原因として、エンボスが崩れるおそれがない。また、本形態では、薬液の付与を、被加工原シート１，２が、第１のロール間を通った後、エンボスロール１１，２１から離れる前に行うので、薬液を塗布した瞬間、つまり水分率が最も高く形状保持性が最も弱くなる瞬間は、被加工原シート１，２に付与されたエンボスが、エンボスロール１１，２１の凸部によって支持されることになるため、薬液付与によって、エンボスが崩れるおそれもない。
【００２９】
本薬液の付与は、例えば、特開平１１−２３５２８８号公報等に示されるような、噴霧（スプレー）によることもできる。噴霧によっても、断紙発生防止効果や、エンボス崩れ防止効果は、得られる。ただし、本形態のように、薬液の付与をロール転写で行うと、薬液の歩留まりが向上し、また、薬液の付与量増量が可能となる。加えて、本ロール転写によると、被加工原シート１，２のエンボス頂面部分に付与された薬液が、被加工原シート１，２全体に広がる（浸透する）ため、瞬間的に高まった水分率は、直ぐに低くなる。したがって、被加工原シート１，２が、少なくともエンボスロール１１，２１から離れるときには、水分率が低くなっているため、エンボス崩れ防止効果が高くなる。この点、噴霧による場合も、水分率が瞬間的にも高くならないようにして、エンボス崩れ防止効果を高めることが考えられるが、被加工原シート１，２は、エンボス付与により、凹凸を有するため、かかる噴霧は、大変難しく、あるいは極めて複雑な装置が必要になる。
【００３０】
なお、例えば、トイレットペーパー等が製造されてから、一般家庭等で使用されるまでには、少なくとも１〜２週間かかるため、ロール転写によって、薬液が被加工原シートの頂面のみに付与されていても、被加工原シート全体に行き渡る（浸透する）ことになる。
【００３１】
本薬液の付与は、薬液転写ロール３１，４１として、周面に凹凸のない弾性ロールを用い、エンボスロール１１，２１の凸部が、１０〜１５０個／ｃｍ2の割合で、好ましくは１５〜６０個／ｃｍ2の割合で、より好ましくは２５〜５０個／ｃｍ2の割合で並び、かつこの凸部の被加工原シート１，２を介した薬液転写ロール３１，４１との当接面積が、エンボスロール周面全面積の３〜２５％、好ましくは５〜２０％、より好ましくは５〜１０％であるとよい。薬液転写ロール３１，４１の周面に凹凸がない場合は、周面にエンボスロール１１，２１の凹凸と嵌合する凹凸がある場合と比較して、断紙発生の可能性が減少する。また、当接面積が３％以上であると、薬液が被加工原シート１，２全体に行き渡る。つまり、周面に凹凸がある薬液転写ロール３１，４１用いて、この薬液転写ロール３１，４１から被加工原シート１，２全体に、薬液を直接転写する必要がなくなる。他方、当接面積が２５％以下であると、被加工原シート１，２全体の水分率があまりにも高くなることがなく、断紙の発生が防止される。もっとも、これら当接面積限定による効果は、エンボスロール１１，２１の凸部が、前記のような割合（個／ｃｍ2）で並ぶ場合の効果である。つまり、大きな凸部が１つだけ存在したり、複数の凸部が一部の部位のみ存在したりする場合は、前記効果を得ることができない。
【００３２】
ここで、エンボスロール１１，２１の周面全面積には、図２及び図３に示すように、凸部頂面１１Ａ，１１Ｂの面積はもちろん、凸部周面１１Ｃの面積や、凸部と凸部との間の面１１Ｄの面積も含む趣旨である。また、凸部頂面１１Ａ，１１Ｂの面積は、３次元的な面積であるため、平面視では同じ面積でも、図２の頂面１１Ａのように、平面であるか、図３の頂面１１Ｂのように、膨らんでいるか、などによって、異なることになる。なお、図２及び図３においては、被加工原シート１，２を省略している。
【００３３】
そして、以上のように凸部の数及び面積を限定する場合は、薬液の付与量を、５〜４０〔質量／（被加工原シート）質量〕％、好ましくは７〜２８％、より好ましくは１０〜２５％とする。薬液の付与量を５％以上とすると、薬液付与の効果が確実に発生する。他方、薬液の付与量を４０％以下とすると、断紙発生の可能性が防止される。
【００３４】
以上のようにしてエンボス及び薬液が付与された被加工原シート１，２のうち、上方を流れるシート１は、次いで、エンボスロール１１から離れ、エンボスロール２１に沿って流れるシート２上に積層される。そして、両被加工原シート１，２は、例えば、エンボスロール２１に対向する弾性ロール５０によって、プライボンディング処理されて、２プライのエンボスシート３とされる。
【００３５】
〔薬液（ローション薬液）〕
本エンボスシートにおいて、使用することができる薬液は、特に限定されない。例えば、柔軟剤、シリコン系風合い向上剤、ローション薬液、抗ウィルス剤などを例示することができる。以下、ローション薬液及び抗ウィルス剤について、詳しく説明する。
【００３６】
ローション薬液とは、肌触り性（風合い）を高め、あるいは保湿性を高め、あるいはパルプ繊維の肌への刺激を和らげ、あるいは潤い感を高めることを主な目的とする薬液であり、その種類は、特に限定されない。例えば、保湿性薬液としては、シリコーンオイル、シリコーンパウダー等のポリシロキサン、グリセリン、プロピレングリコール等の多価アルコール、ソルビトール、グルコース等の糖類、セタノール、オレイルアルコール等の高級アルコール、流動パラフィン、グリコール系溶剤及びその誘導体のうちの少なくとも１種の保湿剤を含むものを用いてなるものを、例示することができる。また、以上の薬液には、例えば、ビタミンＣ、ビタミンＥ、コラーゲンなどを含む薬液を併用することができる。この種の薬液は、潤い感を高める機能がある。ビタミンＣおよびビタミンＥは抗酸化剤としても機能する。ビタミンＥは、還元力の強い成分で、活性酸素・フリーラジカルを消去し、あるいは過酸化脂質の発生を防ぐ抗酸化作用がある。したがって、ビタミンＥは薬液の安定化剤として機能するとともに、肌の皮脂の酸化防止効果及び血行促進効果が発揮される。また、保湿機能もある。ビタミンＣは、ビタミンＥと同じく皮脂の抗酸化作用がある。ビタミンＣは、ビタミンＥを還元するする作用があるため、ビタミンＣ，Ｅの両方を用いると、ビタミンＣがビタミンＥの助剤として働き、活性酸素などにより酸化されたビタミンＥを還元し、ビタミンＥの強力な皮脂の抗酸化作用を維持する作用が奏せられる。コラーゲンは、肌の真皮の９０％を形成しており、これが減少すると肌に潤いや張りがなくなる。したがって、肌と接触したときに肌に潤いを与える保湿効果を発揮する。また、薬液としては、特にｐＨが５．０〜６．０の弱酸性とされたものであると、肌に対して接触させても肌がアルカリ性になることがなく、薬液ｐＨの影響による肌荒れを効果的に防止できる。特に好適なｐＨ範囲は５．３〜５．７である。ｐＨの調整法としては、酸性又は塩基性のｐＨ調整剤を薬液に添加することにより行うことができ、薬液が強酸性の場合には水酸化ナトリウム水溶液や水酸化カリウム水溶液を用いることができ、中性・アルカリ性の場合にはクエン酸やリンゴ酸、乳酸を用いることができる。
【００３７】
清涼感を得るための薬液としては、ソルビトール、アルチトール、キシリトール、エリスリトール、ラクチトール、パラチニットを挙げることができる。特に好ましいものは、エリスリトール、キシリトール、ソルビトールであり、さらに好ましいくはエリスリトール又はキシリトールである。さらに、メントール、サリチル酸、α−シネロール、及びこれらの誘導体の群から選ばれた一種又は二種以上の冷感剤を含ませることができる。
【００３８】
柔軟剤の代表例は、界面活性剤系の柔軟剤であり、その柔軟剤としては、アニオン系界面活性剤、非イオン系界面活性剤、カチオン系界面活性剤及び両性イオン界面活性剤のなかから適宜選択して用いることができ、特にアニオン系界面活性剤が好適である。アニオン系界面活性剤としては、カルボン酸塩系、スルホン酸塩系、硫酸エステル塩系、燐酸エステル塩系などを用いることができる。特にアルキル燐酸エステル塩が好ましい。
【００３９】
非イオン界面活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレートなどの多価アルコールモノ脂肪酸エステル、Ｎ−（３−オレイロシキ−２−ヒドロキシプロピル）ジエタノールアミン、ポリオキシエチレン硬化ヒマシ油、ポリオキシエチレンソルビット密ロウ、ポリオキシエチレンソルビタンセスキステアレート、ポリオキシエチレンモノオレエート、ポリオキシエチレンモノラウレート、ポリオキシエチレンセチルエーテル、ポリオキシエチレンラウリルエーテルなどを用いることができる。
【００４０】
カチオン界面活性剤としては、第４級アンモニウム塩、アミン塩、またはアミンなどをもちいることができる。また、両性イオン界面活性剤としては、カルボキシ、スルホネート、サルフェートを含有する第２級または第３級アミンの脂肪族誘導体、または複素環式第２級または第３級アミンの脂肪族誘導体などを用いることができる。
【００４１】
以上、本エンボスシートにおいては、さまざまなローション薬液を使用することができるが、特に、流動パラフィン５〜２０％と、多価アルコール類５０〜８５％と、糖類３〜３０％と、さらに必要ならば５％以下の非イオン界面活性剤とを主剤とする薬液を用いると、好ましいものとなる（以上、全て〔質量／（薬液全体）質量〕。）。流動パラフィンの添加量が５％未満であると、しっとり感が低下し、また滑らかさが低下し、ざらつく。逆に２０％を超えると、ねばつき感（べとつき感）を与えるとともに、ざらつき、さらに硬い感じを与えるようになる。より好適な範囲は、８〜１５％である。本形態では、例えば、特開平２−１０４５１１号公報に示されるような、多価アルコールによる皮膚の油分の除去特性を過度にすることなく、流動パラフィンを混入することにより、皮膚の油分の除去特性を抑制しているために、ほどよいしっとり感を得ることができる。
【００４２】
多価アルコール類の添加量は５０〜８５％とされる。５０％未満では、清拭効果としっとり感が劣る。他方、８５％を超えると、他の成分の添加量が少なくなり、全体の特性のバランスが悪くなる。また、強度の劣化が起こり、破れ易くなるとともに、べたついた感じを与えるようになる。多価アルコール類としては、特にグリセリン若しくはプロピレングリコール又はこれらの混合物からなるのが好ましい。
【００４３】
糖類の添加量は３〜３０％とされる。３％未満では、しっとり感とやわらかさが低下し、３０％を超えると、全体の特性のバランスが悪くなり、強度劣化が起こり、破れ易くなる。糖類としては、特にソルビトール若しくはグルコース又はこれらの混合物からなるものが好適である。
【００４４】
さらに必要ならば５％以下の非イオン界面活性剤を添加することができる。非イオン活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレート等の多価アルコールモノ脂肪酸エステル、Ｎ−（３−オレイロキシ−２−ヒドロキシプロピル）ジエタノールアミン、ポリオキシエチレン硬化ヒマシ油、ポリオキシエチレンソルビット蜜ロウ、ポリオキシエチレンソルビタンセスキステアレート、ポリオキシエチレンモノオレエート、ポリオキシエチレンソルビタンセスキステアレート、ポリオキシエチレングリセリルモノオレート、ポリオキシエチレンモノステアレート、ポリオキシエチレンモノラウレート、ポリオキシエチレンモノオレエート、ポリオキシエチレンセチルエーテル、ポリオキシエチレンラウリルエーテル等を例示することができる。
【００４５】
これらの薬液に対して、陰イオン界面活性剤、香料、着色料、防腐剤、酸化防止剤などの副次的添加剤を、１％以下の割合で添加することができる。
【００４６】
〔薬液（抗ウィルス剤）〕
本エンボスシートにおいて、使用することができる抗ウィルス剤の種類は、特に限定されない。天然（生体（動植物）内の成分中に含まれている）の抗ウィルス剤、非天然の抗ウィルス剤のいずれをも使用することができる。具体的には、例えば、オシメン、カンフェン、リモネン、サビネン、ミルセン、テルピネン、ピネン、シメン等の植物抽出成分中に含まれるモノテルペン炭化水素類や、シトロネロール、ゲラニオール、イソプレゴール、リナロール、テルピネロール等のモノテルペンアルコール類、アネトール、カルバクロール、オイゲノール、チモール、パラクレゾール、カビコール等のフェノール類、ｔ−アネトール、チャビコールメチルエーテル、サフロール等のフェノールエーテル類、アセトアルデヒド、シトラール、シトロネラール、ゲラニアール、ペリルアルデヒド、パレラナール等のアルデヒド類、アセトフェノン、カンファー、ジャスモン、ノートカトン、メントン、フェンコン、カルボン、プレゴン等のケトン類、カリオレフィンオキサイド、シネオール、ビサボロールオキサイド等の酸化物類、カテキン、プロアントシアニディン、フラボン、フラバノン、アントシアニン、フェノール類、フラボノール等のフラボノイド類、などの薬効成分の中から、一種又は数種を適宜選択して使用することができる。また、以上のほかにも、例えば、アスコルビン酸、カルボン酸、クエン酸等の有機酸や、アニオン界面活性剤、カチオン界面活性剤、両性界面活性剤、非イオン界面活性剤などを使用することもできる。
【００４７】
〔その他〕
エンボス及び薬液の付与は、例えば、エンボスシートがティシュペーパーとなる場合であれば、インターフォルダにおいて、より具体的には、製品の幅で巻き取られた被加工原シートを、巻き戻した（巻き出した）後、折り畳み積み重ねるに先立つ工程で、適用することができる。
【産業上の利用可能性】
【００４８】
本発明は、例えば、トイレットペーパーやティシュペーパー等の衛生薄様紙、キッチンペーパー、トイレ空間の拭き掃除用のトイレクリーナー、台所周りの拭き掃除用のキッチンクリーナーなどのエンボスシートの製造方法及び製造設備として、適用可能である。
【図面の簡単な説明】
【００４９】
【図１】エンボス及び薬液の付与フローを示す図である。
【図２】エンボスロールと薬液転写ロールとの関係を示す図である。
【図３】エンボスロールと薬液転写ロールとの関係を示す図である。
【符号の説明】
【００５０】
１，２…被加工原シート、３…エンボスシート、１０，２０…エンボス付与手段、１１，２１…エンボスロール、１２，２２…対向ロール、３０，４０…薬液付与手段、３１，４１…薬液転写ロール。
【図１】
2006181521.tif 000003
【図２】
2006181521.tif 000004
【図３】
2006181521.tif 000005